(57)【要約】【課題】商品を収納する際に発生する耳障りな騒音を低減することのできる商品収納ラックを提供する。【解決手段】商品収納ラックは、商品収納通路とトップトレイと商品姿勢制御手段２０とを備えている。商品収納通路は、商品を収納するものである。トップトレイは、商品収納通路へ商品を案内するものである。商品姿勢制御手段は、トップイレイと商品収納通路との間に設け、商品に当接することで、商品収納通路に収納する商品の姿勢を整えるものである。商品姿勢制御手段は、商品が当接した際に生じる振動を抑えるよう、姿勢制御板２１に貫通孔２５，３１を設けてある。【選択図】        図５
2006252029.tif 000002
【特許請求の範囲】
【請求項１】
商品を収納する商品収納通路と、
商品収納通路へ商品を案内する案内部材と、
案内部材と商品収納通路との間に設け、商品に当接することで、商品収納通路に収納する商品の姿勢を整える商品姿勢制御手段と
を備える商品収納ラックにおいて、
商品が当接した際に生じる振動を抑えるよう商品姿勢制御手段を構成したことを特徴とする商品収納ラック。
【請求項２】
商品姿勢制御手段に所定の振動抑制領域を設定し、且つこの振動抑制領域の全域に多数の貫通孔を設けたことを特徴とする請求項１に記載の商品収納ラック。
【請求項３】
商品が当接した際に生じる振動を減衰する振動減衰部材を商品姿勢制御手段に設けたことを特徴とする請求項１に記載の商品収納ラック。
【請求項４】
粘着材を備える貼付部材を商品姿勢制御手段に貼り付けたことを特徴とする請求項３に記載の商品収納ラック。
【請求項５】
商品を収納する商品収納通路と、
商品収納通路へ商品を案内する案内部材と、
案内部材と商品収納通路との間に設け、商品に当接することで、商品収納通路に収納する商品の姿勢を整える商品姿勢制御手段と
を備える商品収納ラックにおいて、
複数の棒状部材を組み合わせることによって商品姿勢制御手段を構成したことを特徴とする商品収納ラック。
【発明の詳細な説明】
【技術分野】
【０００１】
本発明は、自動販売機に適用する商品収納ラックに関するものである。
【背景技術】
【０００２】
自動販売機の商品収納ラックには、缶入り飲料、ビン入り飲料又はペットボトル入り飲料等の商品を収納するための商品収納通路が設けられている。商品収納通路は、互いに対向する金属製のセグメントを上下方向に連ねて設けることによって構成してある。通常、トップトレイと称される案内部材と商品収納通路との間には、商品の姿勢を整えるための商品姿勢制御手段が設けられている。
【０００３】
ところで、このような商品収納ラックにルートマン（商品の収納作業者）が商品を収納する場合には、セグメントと商品とが当接することによって騒音が発生する。特に、缶入り飲料を収納する場合には、金属同士が衝突することになるため、騒音の発生が顕著となる。
【０００４】
こうした騒音を発生する自動販売機にあっては、商品の収納を行う時間が昼間だけに限定される等、収納作業の時間的な制限や、静かな事務所の中に設置することができない等、設置場所に制限が加えられることになる。
【０００５】
そこで、従来の商品収納ラックの中には、セグメントのほぼ全体にわたって千鳥状に複数のスリットを形成したものがある。この商品収納ラックによれば、セグメントに形成したスリットによって、商品収納時、商品とセグメントとが当接することで発生する耳障りな騒音の音量を減少することができる（例えば、特許文献１参照）。
【０００６】
【特許文献１】特開平９−１５３１８３号公報
【発明の開示】
【発明が解決しようとする課題】
【０００７】
しかしながら、上記のようにセグメントにスリットを形成した場合にも、商品を収納する時に商品収納ラックから大きな騒音が発生しているのが実情であり、収納作業の時間的な制限や設置場所の制限は一向に解消されていない。
【０００８】
本発明は、上記実情に鑑みて、商品を収納する際に発生する耳障りな騒音を低減することのできる商品収納ラックを提供することを目的とする。
【課題を解決するための手段】
【０００９】
上述した課題に対して本発明者らは、鋭意研究を重ねた結果、騒音の発生源が商品収納通路以外にあることを突き止めた。つまり、セグメントと商品とが衝突する際の騒音よりも、商品収納通路に収納する商品の姿勢を整えるために設けた商品姿勢制御手段に商品が衝突する際に大きな騒音が発生することを見出し、本発明を創作するに至った。
【００１０】
すなわち、本発明の請求項１に係る商品収納ラックは、商品を収納する商品収納通路と、商品収納通路へ商品を案内する案内部材と、案内部材と商品収納通路との間に設け、商品に当接することで、商品収納通路に収納する商品の姿勢を整える商品姿勢制御手段とを備える商品収納ラックにおいて、商品が当接した際に生じる振動を抑えるよう商品姿勢制御手段を構成したことを特徴とする。
【００１１】
また、本発明の請求項２に係る商品収納ラックは、上記請求項１において、商品姿勢制御手段に所定の振動抑制領域を設定し、且つこの振動抑制領域の全域に多数の貫通孔を設けたことを特徴とする。
【００１２】
また、本発明の請求項３に係る商品収納ラックは、上記請求項１において、商品が当接した際に生じる振動を減衰する振動減衰部材を商品姿勢制御手段に設けたことを特徴とする。
【００１３】
また、本発明の請求項４に係る商品収納ラックは、上記請求項３において、粘着材を備える貼付部材を商品姿勢制御手段に貼り付けたことを特徴とする。
【００１４】
また、本発明の請求項５に係る商品収納ラックは、商品を収納する商品収納通路と、商品収納通路へ商品を案内する案内部材と、案内部材と商品収納通路との間に設け、商品に当接することで、商品収納通路に収納する商品の姿勢を整える商品姿勢制御手段とを備える商品収納ラックにおいて、複数の棒状部材を組み合わせることによって商品姿勢制御手段を構成したことを特徴とする。
【発明の効果】
【００１５】
本発明の請求項１にかかる商品収納ラックによれば、商品が当接した際に生じる振動を抑えるよう商品姿勢制御手段を構成したので、商品姿勢制御手段と商品とが当接した際に発生する耳障りな騒音の音量を低減することができる。
【００１６】
よって、請求項１にかかる商品収納ラックによれば、商品Ｃの収納時、ルートマンが収納作業を行う時間に制限を設けられることもなく、収納ラックを備える自動販売機が設置場所を制限されることもない。
【００１７】
本発明の請求項２にかかる商品収納ラックによれば、商品姿勢制御手段に所定の振動抑制領域を設定し、且つこの振動抑制領域の全域に多数の貫通孔を設けたので、貫通孔によって、商品姿勢制御手段と商品とが当接した際に発生する耳障りな騒音の音量を確実に低減することができる。
【００１８】
本発明の請求項３にかかる商品収納ラックによれば、商品が当接した際に生じる振動を減衰する振動減衰部材を商品姿勢制御手段に設けたので、振動減衰部材によって、商品姿勢制御手段と商品とが当接した際に発生する耳障りな騒音の音量を減衰することができる。
【００１９】
本発明の請求項５にかかる商品収納ラックによれば、複数の棒状部材を組み合わせることによって商品姿勢制御手段を構成したので、商品姿勢制御手段と商品とが当接した際に発生する音を聞き心地の良い音にすることができる。
【発明を実施するための最良の形態】
【００２０】
以下に添付図面を参照して、本発明に係る商品収納ラックの好適な実施の形態を詳細に説明する。
【００２１】
［実施の形態１］
図１は、本発明に係る商品収納ラックを適用した自動販売機１０を示したものであり、図２は、実施の形態１の商品収納ラックを示したものである。
【００２２】
自動販売機１０は、缶入り飲料、瓶入り飲料又はペットボトル入り飲料等の商品を販売するためのものであり、第１商品収納ラック１１及び第２商品収納ラック１２を備えている。
【００２３】
第１商品収納ラック１１は自動販売機１０の正面側（図１において左側）に配置してあり、第２商品収納ラック１２は自動販売機１０の背面側（図１において右側）に配置してある。
【００２４】
各商品収納ラック１１，１２は、トップトレイ（案内部材）１４と商品収納通路１５とを対応するよう備えている。具体的には、第１商品収納ラック１１がトップトレイ１４と商品収納通路１５とを２つずつ対応するよう備えており、第２商品収納ラック１２がトップトレイ１４と商品収納通路１５とを３つずつ対応するよう備えている。トップトレイ１４及び商品収納通路１５は、一対の側板（図１においては一方のみを示す）１６で支持してある。
【００２５】
商品収納通路１５は、商品収納ラック１１，１２のほぼ中央に、自動販売機１０の正面側から背面側に向けて列状に配置してある。各商品収納通路１５は、湾曲形状のセグメント１７を互いに対向するよう連ねることで構成してあり、上下方向に沿って蛇行状に設けてある。商品収納通路１５の下部には、ベンドメック１８を設けてある。ベンドメック１８は、商品Ｃの払い出しを制御するものである。各商品収納通路１５の上端部が商品Ｃの入口となっている一方、下端部が商品Ｃの払出口となっている。
【００２６】
トップトレイ１４は、対応する商品収納通路１５に商品Ｃを案内するよう、側板１６の上端部において、自動販売機１０の正面側から背面側に向けて漸次低くなるよう傾斜配置された板状部材で構成され、上下方向に並べて設けてある。トップトレイ１４及び側板１６によって、第１商品収納ラック１１の正面側上端部には、投入口１３が形成されている。トップトレイ１４は、対応する商品収納通路１５の入口において終端している。
【００２７】
商品収納ラック１１，１２には、図１〜図３に示すように、一対の側板１６の間で、トップトレイ１４から商品収納通路１５へ至る部分に商品姿勢制御手段２０が設けてある。
【００２８】
商品姿勢制御手段２０は、図４及び図５に示すように、姿勢制御板２１を備えている。姿勢制御板２１は、一枚の板材を加工することによって形成したもので、基部２２、ストッパ部３０及び姿勢制御部４０から構成されている。
【００２９】
基部２２は、平板状を成しており、その両側部から、背面側であって板面に直交する方向に延在する軸支持片２３を有している。各軸支持片２３の中央部には、軸通孔２４が形成してある。基部２２には、基部２２の全体にわたって円形の貫通孔２５を一定の間隔で複数個、設けてある。具体的には、左右方向に１９個、上下方向に３個、貫通孔２５を設けてある。
【００３０】
ストッパ部３０は、基部２２の上端部から前方上側に傾斜延在する部分である。ストッパ部３０の先端は、円筒状に折り返してある。ストッパ部３０には、円筒状に折り返した部分を除いて円形の貫通孔３１を一定の間隔で複数個、設けてある。具体的には、左右方向に１９個、上下方向に３個、貫通孔３１を設けてある。ストッパ部３０の両側端部はカバー部材３２で覆ってある。
【００３１】
姿勢制御部４０は、平板状を成しており、基部２２の下端部から前方下側に傾斜延在する部分である。姿勢制御部４０の両側端部及び先端部は、カバー部材４１で覆ってある。
【００３２】
このような商品姿勢制御手段２０は、自動販売機の左右方向に沿って略水平に延在する軸部材５１を、図３に示す側板１６に設けた軸支持孔５０及び軸通孔２４に通すことで、図６に示すように、軸部材５１の軸心回りに揺動するよう側板１６の間に支持してある。具体的には、商品姿勢制御手段２０は、姿勢制御部４０が貫通孔を備えない一方、ストッパ部３０が貫通孔２５を備え、ストッパ部３０の重量よりも姿勢制御部４０の重量を重くし、基部２２の姿勢制御部４０側に重心があるので、ストッパ部３０が商品Ｃの通過域に対して退避状態となり、且つ姿勢制御部４０が商品Ｃの通過域に対して進出状態となるよう側板１６の間に支持してある。しかも、この状態では、姿勢制御部４０の板面が、トップトレイ１４の板面に対してほぼ直交する。
【００３３】
姿勢制御部４０が商品Ｃの通過域に対して進出状態となっている場合に、投入口１３から横倒しの姿勢で円柱状の商品Ｃを投入すると、商品Ｃは、トップトレイ１４の上で転がりながら又は滑りながら重力の作用によって自動販売機１０の正面側から背面側に搬送され、図７に示すように、姿勢制御部４０に当接する。
【００３４】
このとき、商品Ｃの搬送方向とほぼ直交する板面の姿勢制御部４０に商品Ｃが当接することになるので、仮に、トップトレイ１４の上で商品Ｃが斜行する姿勢になっていた場合でも、商品Ｃの底面が自動販売機１０の前後方向に沿うよう商品Ｃの姿勢が整えられる。一方、商品Ｃと当接した商品姿勢制御手段２０は、図７中反時計回りに揺動することで商品Ｃの通過域から退避し、図８に示すように、商品Ｃの商品収納通路１５への通過を許容する。よって、姿勢を整えた状態で商品Ｃを商品収納通路１５に収納することができる。
【００３５】
商品姿勢制御手段２０を通過した商品Ｃは、商品収納通路１５の一番下まで落下し、ベンドメック１８で止まる。次の商品Ｃを投入口１３に投入した場合、上述と同様にトップトレイ１４及び商品姿勢制御手段２０を通過した後、上述した商品Ｃの上に積み上げられる。
【００３６】
以下同様に商品Ｃを投入した場合には、図９に示すように、商品収納通路１５の最上部の商品Ｃと姿勢制御部４０とが当接し、且つ姿勢制御部４０の先端のカバー部材４１がセグメント１７に接する。よって、姿勢制御部４０が商品Ｃの通過域に対して退避状態となり、且つストッパ部３０が商品Ｃの通過域に対して進出状態となったまま、商品姿勢制御手段２０の揺動は阻止される。
【００３７】
この状態となった後、投入口１３にさらに商品Ｃを投入した場合には、トップトレイ１４の上を搬送された商品Ｃが商品姿勢制御手段２０のストッパ部３０に当接し、商品収納通路１５の内部に進入することが阻止される。よって、商品Ｃを収納する際、商品収納通路１５の内部に一定数の商品Ｃを収納することができる。しかも、ストッパ部３０の先端が円筒状に折り返してあるので、トップトレイ１４の上を転がりながら又は滑りながら搬送されてきた商品Ｃがストッパ部３０の先端に衝突しても、商品Ｃを傷付けることがない。
【００３８】
このように商品Ｃを商品収納ラック１１，１２に収納した後、自動販売機による商品Ｃの販売によって商品収納ラック１１，１２から商品Ｃが払い出され、商品収納通路１５の最上部の商品Ｃと姿勢制御部４０とが接しない状態になった場合には、図６に示すように、再度、ストッパ部３０が商品Ｃの通過域に対して退避状態となり、且つ姿勢制御部４０が商品Ｃの通過域に対して進出状態となる。
【００３９】
ここで、商品姿勢制御手段を単に板材で構成した場合には、商品がストッパ部又は姿勢制御部に当接すると、姿勢制御板が振動し、その姿勢制御板の振動によって、空気密度の高い場所と低い場所とが生じて耳障りな騒音が発生する。しかしながら、この商品収納ラック１１，１２によれば、姿勢制御板２１に貫通孔２５，３１を設けてある。従って、姿勢制御板２１の表面に空気密度の高い場所が発生した場合には、貫通孔２５，３１から空気が逃げ、且つ姿勢制御板２１の表面に空気密度の低い場所が発生した場合には、貫通孔２５，３１から空気が流入するため、貫通孔２５，３１によって空気密度の高い場所と低い場所とが発生することを抑えられるので、商品Ｃが姿勢制御部４０に当接した際に発生する耳障りな騒音、及び商品Ｃがストッパ部３０に当接した際に発生する耳障りな騒音の音量を低減することができる。しかも、姿勢制御板２１に貫通孔２５，３１を設けたので、姿勢制御板２１の振動する面積を減少させることができるから、商品Ｃが姿勢制御部４０に当接した際に発生する耳障りな騒音、及び商品Ｃがストッパ部３０に当接した際に発生する耳障りな騒音の音量を一層低減することができる。
【００４０】
よって、このような商品収納ラック１１，１２によれば、商品Ｃの収納時、ルートマンが商品Ｃの収納作業を行う時間に制限を設けられることもなく、自動販売機１０が設置場所を制限されることもない。
【００４１】
なお、上述した実施の形態１には、基部２２の全体にわたって貫通孔２５を設け、且つ円筒状に折り返した部分を除いたストッパ部３０に貫通孔３１を設けるもので説明した。しかし、この発明はそれに限られず、商品Ｃと商品姿勢制御手段２０とが当接した際に発生する耳障りな騒音の音量が、所定音量より小さくなるよう貫通孔２５，３１を設ければ十分である。
【００４２】
また、上述した実施の形態１には、姿勢制御板２１に複数の貫通孔２５，３１を一定の間隔で設けるもので説明した。しかし、この発明はそれに限られず、複数の貫通孔２５，３１をランダムに設けて良い。
【００４３】
さらに、上述した実施の形態１には、姿勢制御板２１の基部２２及びストッパ部３０に複数の貫通孔２５，３１を設けるもので説明した。しかし、この発明はそれに限られず、姿勢制御板２１のどこかに貫通孔を設ければ、上述した効果を奏することができる。
【００４４】
また、上述した実施の形態１の商品収納ラック１１，１２には、商品収納通路１５を２つ又は３つ備えるもので説明した。しかし、この発明はそれに限られず、商品収納通路１５を２つ又は３つ以外の複数備えても良いし、１つの商品収納通路１５を備えても良い。
【００４５】
［実施の形態２］
図１０は、本発明に係る実施の形態２の商品収納ラック５９の一部を示したものである。図１０に示す商品収納ラック５９において、図１〜図９に示した商品収納ラック１１，１２と同様のものには同一の符号を付して説明を省略する。
【００４６】
この商品収納ラック５９が備える商品姿勢制御手段２０ａは、基部２２及びストッパ部３０に貫通孔２５，３１を備えておらず、代わりに、基部２２に粘着材（振動減衰部材）を備える金属テープ（貼付部材）６０を貼り付けてある。具体的には、図１０及び図１１に示すように、基部２２の背面側で、軸部材５１の下方に粘着材６１を介して金属テープ６０を貼り付けてある。
【００４７】
実施の形態２の商品収納ラック５９によれば、商品姿勢制御手段２０ａに、粘着材６１を備える金属テープ６０を貼り付けたので、商品Ｃの収納時、姿勢制御部４０又はストッパ部３０に商品Ｃが当接することによって生じる姿勢制御板２１の振動を、粘着材６１が吸収するので、商品Ｃが姿勢制御部４０又はストッパ部３０に当接した際に発生する耳障りな騒音を減衰することができる。しかも、商品姿勢制御手段２０ａに、粘着材６１を備える金属テープ６０を貼り付けるので、姿勢制御板２１の振動によって生じる音を低周波のものとすることができる。
【００４８】
よって、このような商品収納ラック５９によれば、商品Ｃの収納時、ルートマンが商品Ｃの収納作業を行う時間に制限を設けられることもなく、自動販売機１０が設置場所を制限されることもない。
【００４９】
なお、上述した実施の形態２には、基部２２の背面側で、軸部材５１の下方に金属テープ６０を貼り付けるもので説明した。しかし、この発明はそれに限られず、姿勢制御板２１のどこかに金属テープ６０を貼り付ければ、上述した効果を奏することができる。
【００５０】
［実施の形態３］
図１２は、本発明に係る実施の形態３の商品収納ラック６２の一部を示したものである。図１２に示す商品収納ラック６２において、図１〜９に示した商品収納ラック１１，１２と同様のものには同一の符号を付して説明を省略する。
【００５１】
この商品収納ラック６２が備える商品姿勢制御手段２０ｂは、軸部２７とストッパ部３０ａと姿勢制御部４０ａとを備えている。
【００５２】
軸部２７は、棒状を成しており、自動販売機１０の左右方向に沿って略水平に延在している。軸部２７の両端は、側板１６に設けてある軸支持孔５０に通してある。軸部２７を軸支持孔５０に通すことによって、商品姿勢制御手段２０ｂは、軸部２７の軸心回りに揺動するよう側板１６の間に支持してある。
【００５３】
ストッパ部３０ａは、棒状を成しており、軸部２７の上部から上方に向けて延在し、その後、前方上側に傾斜延在する部分である。ストッパ部３０ａは、軸方向に沿って一定の間隔で設けてある。
【００５４】
姿勢制御部４０ａは、棒状を成しており、軸部２７の下部から下方に向けて延在し、その後、前方下側に傾斜延在する部分である。姿勢制御部４０ａは、軸方向に沿って、ストッパ部３０ａに対向するよう設けてある。軸部２７に姿勢制御部４０ａを上述のように設けることによって、姿勢制御部４０ａの正面側には、姿勢制御面４０ｂを形成してある。
【００５５】
このような商品姿勢制御手段２０ｂは、側板１６で支持した場合、図１３に示すように、ストッパ部３０ａが商品Ｃの通過域に対して退避状態となり、且つ姿勢制御部４０ａが商品Ｃの通過域に対して進出状態となるよう形成してある。しかも、商品姿勢制御手段２０ｂを側板１６で支持した場合には、姿勢制御部４０ａの姿勢制御面４０ｂが、トップトレイ１４の板面に対してほぼ直交する。
【００５６】
姿勢制御部４０ａが商品Ｃの通過域に対して進出状態となっている場合に、投入口１３から横倒しの姿勢で円柱状の商品Ｃを投入すると、商品Ｃは、トップトレイ１４の上で転がりながら又は滑りながら重力の作用によって自動販売機１０の正面側から背面側に搬送され、図１４に示すように、姿勢制御部４０ａの姿勢制御面４０ｂに当接する。
【００５７】
このとき、商品Ｃの搬送方向とほぼ直交する姿勢制御面４０ｂを有する姿勢制御部４０ａに商品Ｃが当接することになるので、仮に、トップトレイ１４の上で商品Ｃが斜行する姿勢になっていた場合でも、商品Ｃの底面が自動販売機１０の前後方向に沿うよう商品Ｃの姿勢が整えられる。一方、商品Ｃと当接した商品姿勢制御手段２０ｂは、図１４中反時計回りに揺動することで商品Ｃの通過域から退避し、図１５に示すように、商品Ｃの商品収納通路１５への通過を許容する。よって、姿勢を整えた状態で商品Ｃを商品収納通路１５に収納することができる。
【００５８】
商品姿勢制御手段２０ｂを通過した商品Ｃは、商品収納通路１５の一番下まで落下し、ベンドメック１８で止まる。次の商品Ｃを投入口１３に投入した場合、上述と同様にトップトレイ１４及び商品姿勢制御手段２０ｂを通過した後、上述した商品Ｃの上に積み上げられる。
【００５９】
以下同様に商品Ｃを投入してゆくと、図１６に示すように、商品収納通路１５の最上部の商品Ｃと姿勢制御部４０ａとが当接し、且つ姿勢制御部４０ａの先端がセグメント１７に接する。よって、姿勢制御部４０ａが商品Ｃの通過域に対して退避状態となる一方、ストッパ部３０ａが商品Ｃの通過域に対して進出状態となったまま、商品姿勢制御手段２０ｂの揺動は阻止される。
【００６０】
この状態となった後、投入口１３にさらに商品Ｃを投入した場合には、トップトレイ１４の上を搬送された商品Ｃが商品姿勢制御手段２０ｂのストッパ部３０ａに当接し、商品収納通路１５の内部に進入することが阻止される。よって、商品Ｃを収納する際、商品収納通路１５の内部に一定数の商品Ｃを収納することができる。
【００６１】
このように商品Ｃを商品収納ラック６２に収納した後、自動販売機による商品Ｃの販売によって商品収納ラック６２から商品Ｃが払い出され、商品収納通路１５の最上部の商品Ｃと姿勢制御部４０ａとが接しない状態になった場合には、図１３に示すように、再度、ストッパ部３０ａが商品Ｃの通過域に対して退避状態となり、且つ姿勢制御部４０ａが商品Ｃの通過域に対して進出状態となる。
【００６２】
実施の形態３の商品収納ラック６２によれば、棒状を成す軸部２７、ストッパ部３０ａ及び姿勢制御部４０ａで商品姿勢制御手段２０ｂを構成したので、商品Ｃの収納時、商品Ｃが姿勢制御部４０ａ又はストッパ部３０ａに当接した際に発生する音を、聞き心地の良い音、例えば鉄琴などの楽器が奏でる音に近い音にすることができる。
【００６３】
よって、このような商品収納ラック６２によれば、商品Ｃの収納時、ルートマンが商品Ｃの収納作業を行う時間に制限を設けられることもなく、自動販売機１０が設置場所を制限されることもない。
【図面の簡単な説明】
【００６４】
【図１】本発明の商品収納ラックを適用した自動販売機の断面側面図である。
【図２】本発明の実施の形態１に係る商品収納ラックを示した斜視図である。
【図３】その商品収納ラックが備える商品姿勢制御手段を示した斜視図である。
【図４】その商品姿勢制御手段の側面図である。
【図５】その商品姿勢制御手段の背面図である。
【図６】その商品姿勢制御手段を側板に取り付けた状態を示す側面図である。
【図７】その商品姿勢制御手段の動作状態を示す説明図である。
【図８】その商品姿勢制御手段の動作状態を示す説明図である。
【図９】その商品姿勢制御手段の動作状態を示す説明図である。
【図１０】本発明の実施の形態２に係る商品収納ラックを示した斜視図である。
【図１１】その商品収納ラックが備える貼付部材を示す拡大断面図である。
【図１２】本発明の実施の形態３に係る商品収納ラックを示した斜視図である。
【図１３】図１２に示す商品収納ラックが備える商品姿勢制御手段の側面図である。
【図１４】図１２に示す商品姿勢制御手段の動作状態を示す説明図である。
【図１５】図１２に示す商品姿勢制御手段の動作状態を示す説明図である。
【図１６】図１２に示す商品姿勢制御手段の動作状態を示す説明図である。
【符号の説明】
【００６５】
１１    第１商品収納ラック（商品収納ラック）
１２    第２商品収納ラック（商品収納ラック）
１４    トップトレイ（案内部材）
１５    商品収納通路
２０    商品姿勢制御手段
２７    軸部（棒状部材）
２５    貫通孔
３０ａ    ストッパ部（棒状部材）
３１    貫通孔
４０ａ    姿勢制御部（棒状部材）
５９    商品収納ラック
６０    金属テープ（貼付部材）
６１    粘着材（振動減衰部材）
６２    商品収納ラック
Ｃ      商品
【図１】
2006252029.tif 000003
【図２】
2006252029.tif 000004
【図３】
2006252029.tif 000005
【図４】
2006252029.tif 000006
【図５】
2006252029.tif 000007
【図６】
2006252029.tif 000008
【図７】
2006252029.tif 000009
【図８】
2006252029.tif 000010
【図９】
2006252029.tif 000011
【図１０】
2006252029.tif 000012
【図１１】
2006252029.tif 000013
【図１２】
2006252029.tif 000014
【図１３】
2006252029.tif 000015
【図１４】
2006252029.tif 000016
【図１５】
2006252029.tif 000017
【図１６】
2006252029.tif 000018